(57)【要約】【課題】分岐線で発生した配電異常を、少ない処理負担で検出可能な配電異常検出システムを提供する。【解決手段】高圧線と、変圧器と、低圧線と、を有する配電線網で生じた配電異常を検出する配電異常検出システム１は、複数の電力量計７と無線通信可能な情報収集装置３，５とを備える。情報収集装置３，５は、各グループの中で、無線通信の通信状態が最も良い電力量計７を選択し（Ｓ２０）、選択された電力量計７と定期的に無線通信を行い（Ｓ３２）、選択された電力量計７が無線通信不能になったとき、無線通信が不能になった電力量計７を含むグループに属する電力量計７と無線通信する。そして、この無線通信が不能であるとき、グループに電力を供給する変圧器で配電異常が生じていると判定する。【選択図】  図３
2018125984.tif 000002
【特許請求の範囲】
【請求項１】
高圧電力を送電する高圧線と、前記高圧線上に散点状に設置された複数の変圧器と、前記各変圧器から延線され、前記各変圧器で降圧した低圧電力をそれぞれ送電する複数の低圧線と、を有する配電線網で生じた配電異常を通知する配電異常検出システムであって、
前記各低圧線から各需要家に引き込まれる低圧電力で動作し、前記各需要家に引き込まれた電力の電力量を計量するとともに無線で通信する複数の電力量計と、
複数の前記電力量計と無線通信可能な情報収集装置と、
を備え、
前記情報収集装置は、
複数の前記電力量計を、共通の前記各変圧器から電力供給を受ける前記電力量計ごとに分けた各グループの中で、無線通信の通信状態が最も良い前記電力量計を選択する電力量計選択部と、
前記電力量計選択部で選択された前記電力量計である各選択電力量計と定期的に無線通信を行う選択無線通信部と、
前記選択無線通信部が、いずれかの前記選択電力量計と無線通信が不能になったとき、無線通信が不能になった前記選択電力量計を含む前記グループである第１対象グループに属する前記電力量計である第１所属電力量計と無線通信する第１再通信部と、
前記第１再通信部が、前記第１所属電力量計とも無線通信が不能であるとき、前記第１対象グループに電力を供給する前記変圧器で配電異常が生じていることを通知する第１異常情報送信部と
を備えることを特徴とする配電異常検出システム。
【請求項２】
請求項１に記載の配電異常検出システムにおいて、
前記第１再通信部は、
前記各第１所属電力量計を動作させる電力を供給する前記低圧線が、前記変圧器から複数の引込柱を用いて架線され、また、前記各第１所属電力量計が、いずれかの前記引込柱を介して電力供給されている場合、前記引込柱ごとに１つの前記第１所属電力量計と無線通信する
ことを特徴とする配電異常検出システム。
【請求項３】
請求項１又は請求項２に記載の配電異常検出システムにおいて、
前記電力量計は、
計量した電力量を示す電力量情報を定期的に無線で前記情報収集装置に送信し、
前記電力量計選択部は、
前記電力量情報の受信に失敗した回数から、当該回数が最も少ない前記電力量計を、前記選択電力量計とする
ことを特徴とする配電異常検出システム。
【請求項４】
請求項１〜３のいずれか１項に記載の配電異常検出システムにおいて、
前記電力量計は、
無線の受信強度を示す受信強度情報を無線で前記情報収集装置に送信し、
前記電力量計選択部は、
前記受信強度が最も強い前記電力量計を、当該電力量計を前記選択電力量計とする
ことを特徴とする配電異常検出システム。
【請求項５】
請求項１〜４のいずれか１項に記載の配電異常検出システムにおいて、
前記第１異常情報送信部は、
前記変圧器が取り付けられた前記引込柱を介して電力の供給を受けている前記第１所属電力量計が無線通信不能である場合、他の前記第１所属電力量計が無線通信不能である場合と比較して高い確度で配電異常が生じていることを通知する
ことを特徴とする配電異常検出システム。
【請求項６】
請求項１〜５のいずれか１項に記載の配電異常検出システムにおいて、
前記第１異常情報送信部は、
無線通信が不能である前記第１所属電力量計が２台以上ある場合、１台の場合と比較して高い確度で配電異常が生じていることを通知する
ことを特徴とする配電異常検出システム。
【請求項７】
請求項１〜６のいずれか１項に記載の配電異常検出システムにおいて、
前記電力量計は、
前記選択電力量計に選択されると、当該選択電力量計が無線通信不能か否かを示す生死情報を、前記情報収集装置に対し定期的に送信し、
前記選択無線通信部は、
前記選択電力量計から前記生死情報を定期的に受信し、
前記第１再通信部は、
前記選択無線通信部が、前記生死情報を受信しなくなったとき、前記第１所属電力量計と無線通信する
ことを特徴とする配電異常検出システム。
【請求項８】
請求項１〜７のいずれか１項に記載の配電異常検出システムにおいて、
前記各電力量計は、
前記各需要家に引き込まれる電力の電圧低下その他の異常イベントがあった場合、異常イベント情報を前記情報収集装置に無線で送信し、
前記情報収集装置は、
いずれかの前記電力量計から前記異常イベント情報を受信した場合、前記異常イベント情報を送信した前記電力量計である通知電力量計を含む前記グループである第２対象グループに属する前記電力量計である第２所属電力量計に、前記異常イベントの発生の有無を確認するための無線通信を行う第２再通信部と、
前記通知電力量計を含む数であって、前記第２再通信部による確認結果により、前記第２対象グループに属する前記電力量計のうち、前記異常イベント情報を受信した前記電力量計の数や、無線通信ができない前記電力量計の数が増えるに従って高い確度で配電異常が発生していることを通知する第２異常情報送信部と
を備えることを特徴とする配電異常検出システム。
【請求項９】
請求項８に記載の配電異常検出システムにおいて、
前記第２再通信部は、
いずれかの前記電力量計から前記異常イベント情報を受信した場合であって、さらに、全ての三相用の前記第２所属電力量計から前記異常イベント情報を受信した場合、又は、少なくとも１台の三相用の前記第２所属電力量計から前記異常イベント情報を受信し、前記異常イベント情報を受信していない三相用の前記第２所属電力量計が無応答である場合、前記第２対象グループに属する単相の第２所属電力量計に、前記異常イベントの発生の有無を確認するための無線通信を行う
ことを特徴とする配電異常検出システム。
【請求項１０】
請求項８又は請求項９に記載の配電異常検出システムにおいて、
前記第２異常情報送信部は、
前記変圧器が取り付けられた前記引込柱を介して電力の供給を受けている前記第２所属電力量計から前記異常イベント情報を受信するか、無線通信ができない場合、他の前記第２所属電力量計から前記異常イベント情報を受信するか、無線通信ができない場合と比較して高い確度で配電異常が生じていることを通知する
ことを特徴とする配電異常検出システム。
【請求項１１】
請求項８〜１０のいずれか１項に記載の配電異常検出システムにおいて、
前記第２異常情報送信部は、
前記通知電力量計以外に、前記異常イベント情報を受信するか、無線通信ができない単相の前記第２所属電力量計が１台以上ある場合、前記通知電力量計のみから前記異常イベント情報を受信した場合と比較して高い確度で配電異常が生じていることを通知する
ことを特徴とする配電異常検出システム。
【請求項１２】
請求項１〜１１のいずれか１項に記載の配電異常検出システムから配電異常の通知を受けた場合に、前記通知に応じた配電異常を、モニタ上に表示する配電監視システム。
【請求項１３】
請求項１２に記載の配電監視システムにおいて、
前記配電線網上に散点状に設置された複数の自動開閉器により、前記配電線網が複数のブロックに分割されている場合、前記自動開閉器を遠隔操作して、前記配電異常が生じたブロックを他のブロックから分離する配電監視システム。
【発明の詳細な説明】
【技術分野】
【０００１】
本発明は、配電線網で生じた配電異常を検出する配電異常検出システム、及び、配電線網を監視する配電監視システムに関する。
【背景技術】
【０００２】
配電線網は、６６００Ｖの高圧電力を送電する高圧線と、高圧線上に散点的に設置された複数の変圧器と、各変圧器から延線され、各変圧器で降圧した２００Ｖまたは１００Ｖの各低圧電力をそれぞれ送電する複数の低圧線とで主に構成されている。
【０００３】
また、高圧線は、散点的に設置された複数の自動開閉器を備えており、これら自動開閉器を開くと、独立した複数のブロックに分割することができる。
このように、高圧線を複数のブロックに分割している理由は以下の通りである。
【０００４】
仮に、直線状の高圧線に３つの自動開閉器が設置され、この高圧線の両端の電源から高圧電力を送電したとする。また、一方の端部の電源に近い自動開閉器を開き、他の自動開閉器を閉じたとする。そうすると、一方の端部の電源から、開いた自動開閉器までの高圧線には、一方の端部の電源から高圧電力が送られ、他方の端部の電源から、開いた自動開閉器までの高圧線には、他方の端部の電源から高圧電力が送られる。
【０００５】
しかし、この例の場合、中央の自動開閉器と、他方の端部の電源に近い自動開閉器との間で、断線等の配電異常が発生した場合、中央の自動開閉器と、一方の端部の電源に近い自動開閉器との間には、配電異常が生じていないにもかかわらず、他方の端部の電源から高圧電力を送電できなくなる。
【０００６】
そのため、この例の場合、一方の端部の電源に近い自動開閉器を閉じ、中央の自動開閉器を開き、他方の端部の電源に近い自動開閉器を開いて、配電異常が発生したブロック、すなわち、中央の自動開閉器と、他方の端部の電源に近い自動開閉器との間の高圧線だけ高圧電力が流れないようにしている。
【０００７】
このように、配電線網では、各自動開閉器を開閉することによって、高圧線上で高圧電力が流れなくなる部分をできるだけ少なくしているのである。
各自動開閉器の開閉は、配電監視システムを用いて遠隔操作で行われていることが知られている。
【０００８】
この配電監視システムは、各自動開閉器の両側（電源側と負荷側）に設けられ、高圧線の電圧を検出する各センサと、これらのセンサでの検出結果に基づき、各自動開閉器に開閉を指示する監視装置とで主に構成されている。
【０００９】
このうち、自動開閉器の各センサは、上記の例で言うと、自動開閉器で分けられた両方のブロックから高圧電力を受ける場合があるので、いずれのブロックから高圧電力を受けても配電異常を検出できるようにするため、自動開閉器の両側に設けられている。
【００１０】
監視装置は、高圧線の電圧降下などの配電異常を検出したセンサが属するブロックを、他のブロックと分けてモニタ上に表示するとともに、発生した配電異常に対して最適な送電を可能とするため、その最適な送電に合わせて各自動開閉器の開閉を指示する。上記の例で言うと、監視装置は、中央と他方の端部の電源に近い自動開閉器を開き、一方の端部の電源に近い自動開閉器を閉じるよう、各自動開閉器に指示を出して、各自動開閉器を開閉する（非特許文献１）。
【００１１】
監視装置で行われる配電異常の表示について、具体例を示すと、図８に示すようになる。図８では、配電異常が検出されたブロックを、他のブロックよりも太い線で示している。
【００１２】
なお、図８中には、配電異常が生じた地点を×で示しているが、これは例示であり、正確な位置までは検出できないので、監視装置では実際に表示されるものではない。また、図８では、配電異常が検出されたブロックを太い線で示しているが、配電異常が生じていない線とは異なる色で表示してもよい。配電異常が検出されたブロックの表示方法は任意である。
【００１３】
図８では、５つの自動開閉器（Ａ〜Ｅ）の外側のいずれにも電源があり、そのうちの４つの自動開閉器（Ｂ〜Ｅ）が常時開いていて、１つの自動開閉器（Ａ）が閉じている。そして、×印の部分で配電異常が発生した場合、開いている４つの自動開閉器（Ｂ〜Ｅ）のうち、２つの自動開閉器（Ｂ、Ｃ）の上流側（自動開閉器（Ａ）側）で配電異常が発生した状態となる。この場合、当該２つの自動開閉器（Ｂ、Ｃ）それぞれにおける上流側に設けられた各センサが配電異常を検出して、その検出結果を監視装置に送信する。
【００１４】
なお、図８中、自動開閉器はひし形、手動開閉器は丸印に×、エンドポイントは丸で示している。
【先行技術文献】
【特許文献】
【００１５】
【非特許文献１】配電線自動化システム・新型親局装置の構成技術、愛知電機技報NO.32、２０１１年
【発明の概要】
【発明が解決しようとする課題】
【００１６】
配電線網を構成する高圧線には幹線と分岐線とがある。このうち、幹線は、高圧線に配電異常が生じたとき、その配電異常が自動開閉器によって検出可能な高圧線をいい、分岐線は、配電異常が検出不能な高圧線をいう。図８の例を用いて説明すると、符号Ｒで示した部分が分岐線である。分岐線は、各自動開閉器を起点にいずれかの電源に向かって最短ルートで高圧線をたどった場合に、いずれの自動開閉器からたどってもたどられることがない高圧線を指す。
【００１７】
自動開閉器が備える各センサは、幹線で配電異常が生じた場合、電源から自動開閉器までの送電に異常が生じるので、配電異常を検出することができる。
しかし、自動開閉器が備える各センサは、分岐線で配電異常が発生した場合、電源から自動開閉器までの送電に異常が生じていないので、その配電異常を検出できないことが多い。
【００１８】
そのため、監視装置では、例えば図９に×印で示すように分岐線で配電異常が発生しても、監視装置は、その配電異常を反映した表示、すなわち図９に示すような表示を行うことができない。
【００１９】
本発明は、分岐線で発生した配電異常を、少ない処理負担で検出可能な配電異常検出システムを提供することを目的とする。
【課題を解決するための手段】
【００２０】
本発明の配電異常検出システムは、高圧電力を送電する高圧線と、前記高圧線上に散点状に設置された複数の変圧器と、前記各変圧器から延線され、前記各変圧器で降圧した低圧電力をそれぞれ送電する複数の低圧線と、を有する配電線網で生じた配電異常を、前記配電線網の監視装置に通知する配電異常検出システムであって、前記各低圧線から各需要家に引き込まれる電力で動作し、前記各需要家に引き込まれた低圧電力の電力量を計量するとともに無線で通信する複数の電力量計と、複数の前記電力量計と無線通信可能な情報収集装置と、を備え、前記情報収集装置は、複数の前記電力量計を、共通の前記各変圧器から電力供給を受ける前記電力量計ごとに分けた各グループの中で、無線通信の通信状態が最も良い前記電力量計を選択する電力量計選択部と、前記電力量計選択部で選択された前記電力量計である各選択電力量計と定期的に無線通信を行う選択無線通信部と、前記選択無線通信部が、いずれかの前記選択電力量計と無線通信が不能になったとき、無線通信が不能になった前記選択電力量計を含む前記グループである第１対象グループに属する前記電力量計である第１所属電力量計と無線通信する第１再通信部と、前記第１再通信部が、前記第１所属電力量計とも無線通信が不能であるとき、前記第１対象グループに電力を供給する前記変圧器で配電異常が生じていることを前記監視装置に通知する第１異常情報送信部とを備える。
【００２１】
この配電異常検出システムでは、各グループに電力を供給している変圧器から低圧線に供給される電力の給電状況を、各グループの中で、無線通信の通信状態が最も良い第１電力量計だけで監視している。一方、各変圧器から各低圧線に供給される電力の給電状況を監視すれば、変圧器へは高圧線から電力が供給されているため、高圧線から各変圧器に供給される電力の供給状況を監視することができる。そのため、この配電異常検出システムでは、少ない処理負担で、高圧線上に散点状に設置された各変圧器の設置位置での高圧線の給電状況を監視できる。
【００２２】
しかも、この配電異常検出システムでは、変圧器が設置された位置であればどこでも給電状況を監視できるので、幹線はもちろん分岐線で発生した配電異常をも監視することができる。
【００２３】
したがって、この配電異常検出システムを用いると、分岐線で発生した配電異常を、少ない処理負担で検出することができる。
【図面の簡単な説明】
【００２４】
【図１】バンクの説明図である。
【図２】配電異常検出システム及び配電監視システムを構成する各装置の内部構成を示すブロック図である。
【図３】配電異常検出処理のタイムチャートである。
【図４】分析処理のフローチャートである。
【図５】停電バンク判定処理のフローチャートである。
【図６】欠相バンク判定処理のフローチャートである。
【図７】監視装置が備えるモニタに表示される配電系統図の模式図である。
【図８】従来の監視装置が備えるモニタに表示される配電系統図（幹線での配電異常）の模式図である。
【図９】従来の監視装置が備えるモニタに表示される配電系統図（分岐線での配電異常）の模式図である。
【発明を実施するための形態】
【００２５】
以下に本発明の例示的な実施形態について図面を参照しながら説明する。
背景技術の欄でも説明したように、配電線網は、６６００Ｖの高圧電力を送電する高圧線と、高圧線上に散点的に設置された複数の変圧器（主に柱上変圧器）及び複数の自動開閉器と、各変圧器から延線され、各変圧器で降圧した１００Ｖ又は２００Ｖの各低圧電力を送電する複数の低圧線とを有している。
【００２６】
以下の説明では、最初に、柱上変圧器から低圧線を介して各需要家に電力を送電するための低圧設備群であるバンクについて説明した後、配電異常検出システム及び配電監視システムについて説明する。
【００２７】
バンク１０は、図１に示すように、柱上変圧器１１、低圧線１３、複数の引込柱１４（１４ａ〜１４ｃ）、複数の引込線１５（１５ａ〜１５ｂ）を備えている。
また、このバンク１０から電力供給を受ける需要家１６（１６ａ〜１６ｂ）としては、低圧線１３から単相２００Ｖ又は１００Ｖの電力供給を受ける複数の需要家１６ａと、低圧線１３から三相２００Ｖの電力供給を受ける複数の需要家１６ｂとがある。
【００２８】
さらに、各需要家１６には、低圧線１３から各需要家１６に引き込まれる電力で動作し、各需要家１６に引き込まれた電力の電力量を計量するとともに無線通信が可能な電力量計７（７ａ〜７ｂ）がそれぞれ設置されている。これら電力量計７は、無線マルチホップ通信、すなわち、後述する集約装置までマルチホップ転送による無線通信を行うことができる電力量計である。
【００２９】
このような構成を備えるバンク１０では、引込柱１４ａに、高圧線１９が架線されるとともに、柱上変圧器１１が設置され、高圧線１９が柱上変圧器１１に接続されている。また、柱上変圧器１１から延線される低圧線１３は、引込柱１４ａから引込柱１４ｂを介して引込柱１４ｃまで架線されている。そして、このバンク１０では、柱上変圧器１１で、高圧線１９の高圧電力（６６００Ｖ）を降圧し、この柱上変圧器１１から、降圧後の低圧電力を低圧線１３に送っている。
【００３０】
また、バンク１０では、各引込線１５ａが、各需要家１６ａに対し低圧線１３から、２００Ｖ又は１００Ｖの単相の低圧電力を引き込んでいる。また、各引込線１５ｂが、各需要家１６ｂに対し低圧線１３から、２００Ｖの三相の低圧電力を引き込んでいる。
【００３１】
ここで、引込みについて引込柱１４ごとに詳述すると、引込柱１４ａ及び引込柱１４ｂでは、２つの需要家１６ａに対し、低圧線１３から各引込線１５ａを用いて、２００Ｖ又は１００Ｖの単相の低圧電力を引き込んでいる。また、１つの需要家１６ｂに対し、低圧線１３から引込線１５ｂを用いて、２００Ｖの三相の低圧電力を引き込んでいる。また、引込柱１４ｃでは、２つの需要家１６ａに対し、低圧線１３から各引込線１５ａで、２００Ｖ又は１００Ｖの単相の低圧電力を引き込んでいる。
【００３２】
そして、バンク１０では、このように各需要家１６に引き込まれた低圧電力を、各需要家１６に設置された各電力量計７が計量している。
尚、バンク１０は、上記の構成に限られるものではない。
【００３３】
例えば、引込柱１４は、一本又は二本しか備えない場合があってもよいし、三本以上備えていてもよい。
また、図１では、２００Ｖの三相の低圧電力を引き込む需要家１６ｂとして店舗、２００Ｖ又は１００Ｖの単相の低圧電力を引き込む需要家１６ａとして一般家屋を示しているが、各需要家１６は、各電力を引き込む対象として図１に記載の絵図に記載された対象に限定されない。
【００３４】
また、本実施形態では、電力量計７として、無線マルチホップ通信を行う電力量計を用いているが、電力量計７が用いる通信方式は、無線マルチホップ通信に限るものではなく、１：N無線通信や、電力線通信(PLC：Power Line Communication)などであってもよい。
【００３５】
次に、本実施形態の配電異常検出システムについて説明する。
以下では、配電異常検出システムを構成する各装置の内部構成を説明した後、配電異常検出システムで実行される配電異常検出処理について説明する。
【００３６】
配電異常検出システム１は、図２に示すように、主に、ＥＴＭサーバ３、ＨＥサーバ５、複数の集約装置６、複数の電力量計７を備えている。
なお、図２では、集約装置６を１台しか示していない。これは作図上の問題であり、配電異常検出システム１は、実際には、複数の集約装置６を備えている。
【００３７】
また、図２では、電力量計７を４台しか示していない。これも作図上の問題であり、配電異常検出システム１は、実際には、図１に示すように、４台より多い電力量計７（電力量計７ａや電力量計７ｂ）を備えている。
【００３８】
ＥＴＭサーバ３は、配電異常検出システム１で実行される配電異常検出処理において中心的な役割を果たすサーバである。ＨＥサーバ５は、ＥＴＭサーバ３に代えて、複数の電力量計７との通信において中心的な役割を果たすサーバである。集約装置６は、各電力量計７の間で無線通信を行う装置である。
【００３９】
各集約装置６は、配電線網が設置されるエリアに散点的に複数設置され、ＨＥサーバ５は、各集約装置６と通信可能に接続されている。各集約装置６は、所定の引込柱１４上に設置され（柱上変圧器が設置された引込柱１４に限らない）、それぞれが管轄するエリア内の各電力量計７と無線マルチホップ通信を行う。
【００４０】
ＥＴＭサーバ３について詳細に説明する。
ＥＴＭサーバ３は、当該ＥＴＭサーバ３を制御する制御装置３０、配電監視システム９を構成する監視装置９０と通信するための第１通信装置３４、ＨＥサーバ５と通信するための第２通信装置３６を備えている。
【００４１】
制御装置３０は、各種情報を記憶する記憶装置３２を備えており、この記憶装置３２には、５つの記憶領域が設定されている。
第１の記憶領域３２ａは、初期ポーリング情報を記憶する領域である。本実施形態では、後述する配電異常検出処理で、バンク１０毎に最も通信状態がよい電力量計７が１台ずつ選択される。第１の記憶領域３２ａに記憶される初期ポーリング情報は、これら選択された電力量計７をリストアップするとともに、リストアップされた各電力量計７がいずれのバンク１０に属するかも識別可能にリスト形式にまとめた情報である。
【００４２】
第２の記憶領域３２ｂは、三単識別情報を記憶する領域である。三単識別情報は、配電異常検出システム１が用いる全ての電力量計７が、三相式、単相式のいずれかを識別するための情報である。第２の記憶領域３２ｂに記憶される三単識別情報は、全ての各電力量計７について、各電力量計７が三相式か単相式かを識別可能にリスト形式でまとめるとともに、各電力量計７がいずれのバンク１０に属するかも識別可能にリスト形式にまとめた情報である。
【００４３】
また、この三単識別情報は、各電力量計７が、いずれの引込柱１４から電力を引き込んでいるかを識別可能にリスト形式にまとめられている。後述する各処理では、説明簡単のため、各電力量計７の属するバンク１０の別、接続される引込柱１４、三相−単相の別について判断する根拠となる情報を記載していない処理がある。そのような処理では、必要であれば、三単識別情報を用いて、各電力量計７の属するバンク１０の別、接続される引込柱１４の別、三相−単相の別について判断してもよい。しかし、三単識別情報を用いる方法以外の方法で、各電力量計７の属するバンク１０の別、接続される引込柱１４の別、三相−単相の別について判断してもよい。尚、接続される引込柱１４の別については、柱上変圧器１１を備えているかについても識別可能にされていてもよい。
【００４４】
第３の記憶領域３２ｃは、代表識別情報を記憶する領域である。本実施形態では、１つの引込柱１４から複数の需要家１６が電力を引き込んでいる場合、そのうちの１つの需要家１６の電力量計７を代表の電力量計７として指定している。第３の記憶領域３２ｃに記憶される代表識別情報は、これら指定された全ての電力量計７をリストアップするとともに、リストアップされた各電力量計７がいずれのバンク１０に属するかも識別可能にリスト形式にまとめた情報である。
【００４５】
尚、１つの引込柱１４から一の需要家１６が電力を引き込んでいる場合、その一の需要家１６の電力量計７が代表の電力量計７として指定される。
また、本実施形態では、代表の電力量計７の指定方法はどのような方法でもよい。例えば、後述する配電異常検出処理を実行する前に予め指定しておいてもよいし、必要なときにランダムに指定してもよいし、各引込柱１４の中で、最も通信品質がよい電力量計７を、代表の電力量計７として指定してもよい。代表の電力量計７は、例えば、ＥＴＭサーバ３が指定しても良いし、操作者が指定してもよい。
【００４６】
第４の記憶領域３２ｄは、通信品質情報を記憶する領域である。通信品質情報は、各電力量計７の通信状態に関する情報である。第４の記憶領域３２ｄに記憶される通信品質情報は、いずれの電力量計７の情報かを識別可能にリスト形式にまとめるとともに、各電力量計７がいずれのバンク１０に属するかも識別可能にリスト形式にまとめた情報である。
【００４７】
第５の記憶領域３２ｅは、停電情報を記憶する領域である。停電情報は、停電工事により、停電が予定されている電力量計７がいずれの電力量計７かを示す情報である。第５の記憶領域３２ｅに記憶される停電情報は、停電が予定された全ての電力量計７をリストアップするとともに、リストアップされた各電力量計７がいずれのバンク１０に属するかも識別可能にリスト形式にまとめた情報である。
【００４８】
ＨＥサーバ５について詳細に説明する。
ＨＥサーバ５は、当該ＨＥサーバ５を制御する制御装置５０、ＥＴＭサーバ３と通信するための第１通信装置５４、集約装置６と通信するための第２通信装置５６を備えている。制御装置５０は、各種情報を記憶する記憶装置５２を備えている。
【００４９】
記憶装置５２には、複数の記憶領域が設定されている。これら記憶領域としては、２つの記憶領域がある。
第１の記憶領域５２ａは、受信強度情報を記憶する領域である。本実施形態では、ＨＥサーバ５が、各電力量計７が行う無線通信の電波強度を示す受信強度情報を、各電力量計７から後述する３０分値とともに定期的に受信している。ＨＥサーバ５は、各電力量計７から定期的に受信した各受信強度情報を第１の記憶領域５２ａに電力量計７ごとにリスト形式で記憶している。
【００５０】
第２の記憶領域５２ｂは、受信非成功回数情報を記憶する領域である。本実施形態では、各電力量計７が、３０分ごとの消費電力量を示す電力量情報として３０分値をＨＥサーバ５に送信している。しかし、無線マルチホップ通信では、３０分値の送信を行おうとしている電力量計７と受信先（例えば、集約装置６や他の電力量計７）と間に車両等の障害物が入るなどの通信を妨害する事象が発生すると、３０分値を送信できないことがある。そのため、第２の記憶領域５２ｂには、ＨＥサーバ５が３０分値を受信できなかった回数、すなわち、受信非成功回数を示す受信非成功回数情報を、電力量計７ごとにリスト形式で記憶している。
【００５１】
電力量計７について詳細に説明する。
電力量計７は、当該電力量計７を制御する制御装置７０、無線マルチホップ通信を行う無線通信装置７４、当該電力量計７が設置された需要家で消費する電力量を計量するための検針部７６を備えている。制御装置７０は、各種情報を記憶する記憶装置７２を備えている。
【００５２】
記憶装置７２には、複数の記憶領域が設定されている。これら記憶領域としては、４つの記憶領域がある。
第１の記憶領域７２ａは、指定情報を記憶する領域である。本実施形態では、後述する配電異常検出処理で当該電力量計７が初期ポーリング対象とされた場合、そのことを示す指定情報がＨＥサーバ５から送られてくる。第１の記憶領域７２ａは、ＨＥサーバ５から指定情報が送られてきた場合、その指定情報が記憶される領域である。
【００５３】
第２の記憶領域７２ｂは、識別情報を記憶する領域である。この識別情報は、当該電力量計７を識別するための情報である。識別情報としては、電力量計７ごとにユニークな情報が記憶されている。この識別情報は、各種情報を送信するときに付帯される。ＥＴＭサーバ３やＨＥサーバ５では、送られてきた情報がいずれの電力量計７からのものかを識別する場合、この識別情報に基づいて識別する。
【００５４】
第３の記憶領域７２ｃは、受信強度情報を記憶する領域である。無線通信装置７４は、無線通信を行ったときの受信強度を計測する機能を有している。第３の記憶領域７２ｃは、無線通信装置７４が計測した受信強度を示す情報が受信強度情報として記憶される。
【００５５】
この受信強度情報は、後述する３０分値とともにＨＥサーバ５に無線で送信される。
第４の記憶領域７２ｄは、３０分値を記憶する領域である。本実施形態では、検針部７６が電力量を計量し、その計量した情報を無線通信装置７４が３０分毎に送信している。
【００５６】
第４の記憶領域７２ｄは、この検針部７６が計量した電力量を示す情報を３０分値として記憶している。また、電力量計７は、電力会社側での電力需給状態の把握のため、ＨＥサーバ５に３０分値を３０分ごとに無線で送信している。
【００５７】
各集約装置６は、各集約装置６が管轄する管轄エリアの電力量計７と無線通信するとともに、ＨＥサーバ５と有線又は無線で通信し、ＨＥサーバ５と電力量計７との通信を中継する。これら集約装置６は、一般的な装置であるので詳細については説明を省略する。
【００５８】
次に、以上のように構成された配電異常検出システム１で実行される配電異常検出処理について、図３〜図６を用いて説明する。配電異常検出処理は、ＥＴＭサーバ３の制御装置３０、ＨＥサーバ５の制御装置５０、電力量計７の制御装置７０等が実行する処理である。
【００５９】
本実施形態の配電異常検出処理では、図３に示すように、最初に、ＨＥサーバ５において、Ｓ１０の処理、すなわち通信品質情報を作成する処理が実行される。
Ｓ１０では、第１の記憶領域５２ａに記憶された受信強度情報と、第２の記憶領域５２ｂに記憶された受信非成功回数情報とを電力量計７毎にリスト形式にまとめた通信品質情報を１日１回作成する処理が実行される。Ｓ１０が実行されると、次にＳ１２が実行される。
【００６０】
Ｓ１２では、Ｓ１０で作成した通信品質情報をＥＴＭサーバ３に送信する処理が実行される。このＳ１２の処理も、１日１回実行される。
Ｓ２０は、ＥＴＭサーバ３で実行される処理であり、ＨＥサーバ５から通信品質情報を受信すると実行される処理である。このＳ２０では、受信した通信品質情報から、バンク１０ごとに最も通信状態がよい電力量計７が選択され、これら電力量計７が初期ポーリングの対象とされる。ここで通信状態が最も良い電力量計７とは、例えば、電波強度が最も強く、しかも、受信非成功回数が最も少ない電力量計７をいう。
【００６１】
そして、Ｓ２２では、初期ポーリングの対象とされた各電力量計７をリストアップした初期ポーリング情報が、第１の記憶領域３２ａに記憶される。
Ｓ２４では、Ｓ２２で記憶された初期ポーリング情報を、ＨＥサーバ５に送信する処理が実行される。
【００６２】
ＥＴＭサーバ３からＨＥサーバ５に初期ポーリング情報が送信されると、ＨＥサーバ５では、Ｓ１４の処理が実行される。
Ｓ１４では、初期ポーリング情報に挙げられた各電力量計７にＨＥサーバ５から指定情報を送信する処理が実行される。
【００６３】
すると、指定情報を受信した各電力量計７は、Ｓ３０において、受信した指定情報を第１記憶領域７２ａに記憶することで選択電力量計７に設定される。
各選択電力量計７はその後、Ｓ３２において、ＨＥサーバ５経由でＥＴＭサーバ３に対し５分ごとに（Ｓ３２：ＹＥＳ）生死情報（各選択電力量計７が動作しているか否か）を通信する処理を実行する。なお、Ｓ３２では、前回、生死情報を送信した時から５分経過していないときには（Ｓ３２：ＮＯ）、待機する。
【００６４】
一方、選択電力量計７に限らずすべての電力量計７は、Ｓ３４の処理を実行する。
Ｓ３４では、各電力量計７は、各需要家が受ける電力の電圧が定格の８０％を下回ったことを検針部７６が検出すると、その検出から５分以内の送信タイミングに（Ｓ３４：ＹＥＳ）、電圧低下イベント情報（本発明の異常イベント情報に相当）をＨＥサーバ５経由でＥＴＭサーバ３に送信する処理を実行する。なお、Ｓ３４は、電圧低下イベント情報の送信タイミングが到来していないときには（Ｓ３４：ＮＯ）、待機する。
【００６５】
次に、分析処理Ｓ４について、図４を用いて説明する。
この分析処理Ｓ４は、主にＥＴＭサーバ３で実行され、ＨＥサーバ５を介して各電力量計７と通信を行いながら実行される処理である。
【００６６】
この分析処理Ｓ４では、最初にＳ４０の処理が実行される。
Ｓ４０では、ＥＴＭサーバ３が、いずれかの選択電力量計７から、ＨＥサーバ５経由で生死情報を５分以上受けていないか判定する処理が実行される。ＥＴＭサーバ３が、いずれかの選択電力量計７からＨＥサーバ５経由で生死情報を受けていない場合（Ｓ４０：ＹＥＳ）、次に、停電バンク判定処理Ｓ５が実行される。一方、ＥＴＭサーバ３が生死情報をＨＥサーバ５経由で受けていない選択電力量計７がない場合（Ｓ４０：ＮＯ）、次に、Ｓ４２の処理が実行される。
【００６７】
Ｓ４２では、ＥＴＭサーバ３がいずれかの電力量計７から、ＨＥサーバ５経由で電圧低下イベント情報を受けたか判定する処理が実行される。ＥＴＭサーバ３が、いずれかの電力量計７から、ＨＥサーバ５経由で電圧低下イベント情報を受けた場合（Ｓ４２：ＹＥＳ）、次に、欠相バンク判定処理Ｓ７が実行される。一方、ＥＴＭサーバ３が、いずれの電力量計７からも、ＨＥサーバ５経由で電圧低下イベント情報を受けていない場合（Ｓ４２：ＮＯ）、本分析処理Ｓ４は終了し、以降Ｓ４０以下の処理が繰り返し実行される。なお、Ｓ４２で電圧低下イベント情報を送信してきた電力量計７は、本発明の通知電力量計に相当する。
【００６８】
次に、停電バンク処理Ｓ５について、図５を用いて、説明する。
停電バンク処理Ｓ５では、最初にＳ５０の処理が実行される。
Ｓ５０では、第３の記憶領域３２ｃに記憶された代表識別情報に基づいて、生死情報を受けた選択電力量計７を含むバンク１０（本発明の第１対象グループに相当する）内の電力量計７（本発明の第１所属電力量計に相当する）のうち、引込柱１４ａ〜１４ｃごとに指定された各１台の代表の電力量計７である各代表電力量計７に再ポーリングを行う処理を実行する。この再ポーリングを行うと、各代表電力量計７では、生死情報をＥＴＭサーバ３に送る処理が実行される。しかし、各代表電力量計７が停電していると、各代表電力量計７からは生死情報をＥＴＭサーバ３に一切返信してこない。そのため、Ｓ５０に続くＳ５２では、再ポーリングを行った全ての代表電力量計７から生死情報が送られてきていないか、判定する処理が実行される。
【００６９】
尚、「再」ポーリングと呼ぶ理由は、Ｓ２０〜Ｓ２４の処理も、停電を検出するため、電力量計７に生死情報を送らせる処理であり、Ｓ５０の処理も、電力量計７に生死情報を送らせる処理であり、前者を「初期ポーリング」と呼んでいるためである。
【００７０】
Ｓ５２の判定で、いずれかの代表電力量計７から生死情報が送られてきている場合（Ｓ５２：ＮＯ）、少なくとも、その生死情報を送ってきた電力量計７までは、低圧電力が届いているので、柱上変圧器１１まで高圧電力がきていることとなる。そのため、この場合は、代表電力量計７が高圧線１９の断線等を原因とする停電をしていないので、停電なしと認識され（Ｓ５４）、分析処理Ｓ４に戻る。
【００７１】
一方、Ｓ５２の判定ですべて無応答（本発明の無線通信不能に相当）の場合は（Ｓ５２：ＹＥＳ）、停電の可能性があるので、次に、Ｓ５６の処理が実行される。
Ｓ５６では、生死情報を送ってきていない選択電力量計７及び代表電力量計７が、工事等によって停電することが予定されていて事前にＥＴＭサーバ３で把握された電力量計７かを判定する処理が実行される。このＳ５６は、第５の記憶領域３２ｅに記憶された停電情報を用いて処理される。
【００７２】
Ｓ５６の判定で、生死情報を送ってきていない各電力量計７が、いずれも停電が予定された電力量計７である場合（Ｓ５６：ＹＥＳ）、停電なし（通信停止バンク）と認識され（Ｓ５８）、分析処理Ｓ４に戻る。
【００７３】
一方、Ｓ５６の判定で、生死情報を送ってきていない各電力量計７のいずれかが、停電が予定された電力量計７でない場合（Ｓ５６：ＮＯ）、次に、Ｓ６０の処理が実行される。
【００７４】
Ｓ６０では、停電予定がない無応答の電力量計７の台数が２台以上であるか判定する処理が実行される。この判定Ｓ６０において、停電予定がない無応答の電力量計７の台数が１台の場合（Ｓ６０：ＮＯ）、柱上変圧器１１への送電がなされていない確からしさを示す指標として、指標としては確度が低い停電バンクＣの情報を監視装置９０に送信する処理（Ｓ６４）が実行される。これは、停電していると判定された電力量計７単独の停電の可能性もありうるためである（いわゆる一戸停電。引込線が切れるなどの原因が考えられる）。
【００７５】
一方、Ｓ６０において、停電予定がない無応答の電力量計７の台数が２台以上であると判定された場合（Ｓ６０：ＹＥＳ）、次に、Ｓ６２の処理が実行される。
Ｓ６２では、停電予定がない無応答の電力量計７の中に、柱上変圧器１１を備える引込柱１４ａから電力を引き込んでいる電力量計７が含まれるか判定をする処理が実行される。
【００７６】
Ｓ６０で、停電予定がない無応答の電力量計７の台数が２台以上あると判定されているため、当該電力量計７を含むバンク１０に電力を送っている柱上変圧器１１に電力が送電されてきていない可能性が高い。しかも、無応答の電力量計７が柱上変圧器１１を備える引込柱１４ａから電力を引き込んでいる場合、当該無応答の電力量計７は柱上変圧器１１に最も近く、柱上変圧器１１への送電状況を他の電力量計７よりも正確に表している可能性があるので、柱上変圧器１１に電力が送電されてきていない可能性が一層高くなる。
【００７７】
そのためＳ６２において、停電予定がない無応答の電力量計７の中に、柱上変圧器１１を備える引込柱１４ａから電力を引き込んでいる電力量計７が含まれると判定された場合（Ｓ６２：ＹＥＳ）、柱上変圧器１１への送電がなされていない確からしさを示す指標として、指標としては確度が最も高い停電バンクＡの情報を送信する処理Ｓ６８が実行される。
【００７８】
一方、Ｓ６２において、停電予定がない無応答の電力量計７の中に、柱上変圧器１１を備える引込柱１４ａから電力を引き込んでいる電力量計７が含まれていないと判定された場合でも（Ｓ６２：ＮＯ）、指標としては確度が中位の停電バンクＢの情報を送信する処理Ｓ６６が実行される。これは、柱上変圧器１１への送電がなされていない確からしさは、２台の電力量計７が無応答であるので、停電バンクＡより低いものの、確度が最も低い停電バンクＣに比べれば高いからである。
【００７９】
そして、Ｓ６４〜Ｓ６８の処理が終了すると、分析処理（Ｓ４）に戻る。
次に、欠相バンク判定処理Ｓ７について、図６を用いて説明する。
以下で、各電力量計７が三相式か、単相式かの判断は、第２の記憶領域３２ｂに記憶された三単識別情報を用いて行われる。
【００８０】
欠相バンク判定処理Ｓ７では、最初に、Ｓ７０の処理が実行される。
Ｓ７０では、欠相バンク判定処理Ｓ７を実行するきっかけとなった電圧低下イベント情報を送信してきた電力量計７を含むバンク１０（欠相バンク判定処理Ｓ７の説明において当該バンク１０とよぶ。本発明の第２対象グループに相当する）に属する全ての三相の電力量計７ｂ（本発明の三相３線式用の第２所属電力量計に相当する）からも電圧低下イベント情報を受信しているか判定する処理が実行される。電圧低下イベント情報が、１つの電力量計７から送られてきただけでは、引込線１５ｂが欠相をしている可能性があり、当該バンク１０の柱上変圧器１１に電力を供給する高圧線１９が欠相をしているとは断定できないからである。
【００８１】
Ｓ７０で、電圧低下イベント情報が、当該バンク１０に属する全ての三相の電力量計７ｂから受信していると判定された場合（Ｓ７０：ＹＥＳ）、次に、Ｓ７８の処理が実行され、受信していないと判定された場合（Ｓ７０：ＮＯ）、次に、Ｓ７２の処理が実行される。
【００８２】
Ｓ７２では、当該バンク１０内に三相の電力量計７が存在するか判定する処理が実行される。この処理（Ｓ７２）において、三相の電力量計７がないと判定された場合は、次にＳ７８の処理が実行される（図６中の（１）で示す部分）。一方、三相の電力量計７があると判定された場合は、次にＳ７４の処理が実行される。
【００８３】
Ｓ７４では、当該バンク１０内の電圧低下イベント情報を送ってきていない三相の電力量計７ｂに対して再ポーリングを実施する。
Ｓ７６では、Ｓ７４で再ポーリングを実施した全ての電力量計７ｂが無応答であるか否かの判定が実行される。いずれかの電力量計７ｂから応答があった場合（Ｓ７６：ＮＯ）、電力量計７ｂは動作し、電圧低下イベント情報も送ってきていないので、当該バンク１０の柱上変圧器１１に電力を供給している高圧線１９に欠相が生じている可能性がないと判断される。そのため、この場合（Ｓ７６：ＮＯ）、本処理Ｓ７を終了して、分析処理Ｓ４にもどる。
【００８４】
一方、再ポーリングを実施した全ての電力量計７ｂから応答がなかった場合（Ｓ７６：ＹＥＳ）、次にＳ７８の処理が実行される。
Ｓ７８では、当該バンク１０内に単相の電力量計７が存在するか判定する処理が実行される。この処理（Ｓ７８）において、単相の電力量計７がないと判定された場合は、次にＳ８２の処理が実行される。一方、単相の電力量計７があると判定された場合は、次にＳ８０の処理が実行される。
【００８５】
高圧線１９が欠相した場合、例えば、３つの相のうち１つの相が断線していることが考えられる。３つの相のうち１相が断線していると、断線により欠相した相から電力が得られないため、欠相した相から電力の供給を受けている単相の電力量計７ａが停電している可能性がある。
【００８６】
そのため、Ｓ７８の処理で、単相の電力量計７ａがないと判定された場合は（Ｓ７８：ＮＯ）、次にＳ８２の処理が実行されるが、単相の電力量計７ａがあると判定された場合は（Ｓ７８：ＹＥＳ）、次にＳ８０の処理が実行される。
【００８７】
Ｓ８０では、当該バンク１０内に属する単相の電力量計７ａのうち、引込柱１４ａ〜１４ｃ毎に１台の電力量計７ａである代表電力量計７ａに再ポーリングを実施する処理が実行される。このＳ８０の処理を実施する場合、第２の記憶領域３２ｂに記憶された三単識別情報と、第３の記憶領域３２ｃに記憶された代表識別情報が用いられる。
【００８８】
なお、代表識別情報に三相の電力量計７ｂが含まれる場合、別途、単相の電力量計７ａを選択してもよいし、代表電力量計７とされるのは、そもそも、すべて単相の電力量計７ａとしてもよい。また、代表電力量計７とされるのが、すべて単相の電力量計７ａであるときに、Ｓ８０の処理を実施する場合であって、Ｓ４２で電圧低下イベント情報を送信してきた電力量計７が代表電力量計７である場合、その代表電力量計７にも再ポーリングを行ってもよい。さらに、Ｓ８０では代表電力量計７に対して再ポーリングを行っているが、全ての単相の電力量計７ａに対して再ポーリングをおこなってもよい。
【００８９】
そして、Ｓ８０の処理が終了すると、次にＳ８２の処理が実行される。
Ｓ８２では、Ｓ４２で電圧低下イベント情報を送信してきた電力量計７、全ての単相の代表電力量計７ａ、及び、全ての三相の電力量計７ｂのうち、２台以上の電力量計７から電圧低下イベント情報を受信するか（１台は、Ｓ４２での判断対象の電力量計７）、または、１台の電力量計７から電圧低下イベント情報を受信し（すなわち、Ｓ４２の判断対象の電力量計７からのみ電圧低下イベントを受信し）、１台以上の電力量計７が無応答のいずれかであるかを判定している。
【００９０】
Ｓ８２で、１台の電力量計７のみから電圧低下イベント情報を受信し、無応答の電力量計７がない場合（Ｓ８２：ＮＯ）、当該バンク１０の柱上変圧器１１に電力を供給している高圧線１９が欠相している可能性があるが、その数が少ないので、指標としては確度が最も低い欠相ランクＣの情報を監視装置９０に送信する処理Ｓ８６が実行される。
【００９１】
Ｓ８２で、２台以上の電力量計７から電圧低下イベント情報を受信するか、１台の電力量計７から電圧低下イベント情報を受信し、１台以上の電力量計７が無応答である場合（Ｓ８２：ＹＥＳ）、次に、Ｓ８４の処理が実行される。
【００９２】
Ｓ８４では、電圧低下イベント情報を送ってきた、または、無応答の電力量計７の中に、柱上変圧器１１を備える引込柱１４ａから電力を引き込んでいる電力量計７が含まれるか判定をする処理が実行される。
【００９３】
Ｓ８２で、電圧低下イベント情報を送ってきた、または、無応答の電力量計７の台数が２台以上あると判定されているため、当該電力量計７を含むバンク１０に属する柱上変圧器１１に電力を供給する高圧線１９で欠相が生じている可能性が高い。しかも、電圧低下イベント情報を送ってきた、または、無応答の電力量計７が柱上変圧器１１を備える引込柱１４ａから電力を引き込んでいる場合、柱上変圧器１１に最も近く、柱上変圧器１１への送電状況を他の電力量計７よりも正確に表している可能性があるので、柱上変圧器１１に電力を供給する高圧線１９で欠相が生じている可能性が一層高くなる。
【００９４】
そのためＳ８４において、電圧低下イベント情報を送ってきた、または、無応答の無応答の電力量計７の中に、柱上変圧器１１を備える引込柱１４ａから電力を引き込んでいる電力量計７が含まれると判定された場合（Ｓ８４：ＹＥＳ）、柱上変圧器１１に電力を供給する高圧線１９で欠相が生じている確からしさを示す指標として、指標としてはランクが最も高い欠相バンクＡの情報を送信する処理Ｓ８８が実行される。
【００９５】
一方、Ｓ８４において、電圧低下イベント情報を送ってきた、または、無応答の電力量計７の中に、柱上変圧器１１を備える引込柱１４ａから電力を引き込んでいる電力量計７が含まれていないと判定された場合でも（Ｓ８４：ＮＯ）、１台の電力量計７のみが電圧低下イベント情報を送ってきた場合に比べ（Ｓ８２：ＮＯ）、柱上変圧器１１へ電力を供給する高圧線１９で欠相が生じている確からしさは高い。そのため、指標としては確度が中位の欠相バンクＢの情報を送信する処理Ｓ８７が実行される。
【００９６】
そして、Ｓ８６〜Ｓ８８の処理が終了すると、分析処理（Ｓ４）に戻る。
次に、配電監視システムについて説明する。
配電監視システム９は、図２に示すように、ＥＴＭサーバ３と通信可能に接続された監視装置９０と、複数の自動開閉器９４とを備えている。各自動開閉器９４は、高圧線を開閉するための遠隔操作装置９６を備えている。
【００９７】
この配電監視システム９を構成する監視装置９０は、配電異常検出システム１から配電異常の通知、すなわち、停電または欠相を知らせる情報を受けた場合（Ｓ６４〜Ｓ６８、Ｓ８６〜Ｓ８８）、その通知に応じた配電異常を、図７に示すように、監視装置９０が備えるモニタ９２上に表示する。図９と比較すると分かるように、本実施形態の配電異常検出システム１は、従来表示できなかった配電異常を表示できるようになる。
【００９８】
具体的には、該当するバンク１０に属する柱上変圧器１１を示す印（図７中では三角の印）を、色を付けて表示する。このときランクに応じて色を変えてもよい。また、その柱上変圧器１１が含まれるブロックの高圧線１９を示す線を太くしたり色を変えたりしてもよい。
【００９９】
尚、モニタ９２上に配電異常を表示するときに、配電線網上に散点状に設置された複数の自動開閉器９４の遠隔操作装置９６を遠隔操作して、配電異常が生じたブロック（図７中、太く示された高圧線）を他のブロックから分離するようにしてもよい。
【０１００】
以下、本実施形態の特徴的な作用効果について説明する。
本実施形態の配電異常検出システム１では、各バンク１０に電力を供給している柱上変圧器１１から低圧線１３に供給される電力の給電状況を、各バンク１０の中で、無線通信の通信状態が最も良い選択電力量計７だけで監視している。一方、各柱上変圧器１１から各低圧線１３に供給される電力の給電状況を監視すれば、柱上変圧器１１へは高圧線１９から電力が供給されているため、高圧線１９から各柱上変圧器１１に供給される電力の供給状況を監視することができる。そのため、この配電異常検出システム１では、少ない処理負担で、高圧線１９上に散点状に設置された各柱上変圧器１１の設置位置での高圧線の給電状況を監視できる。
【０１０１】
しかも、この配電異常検出システム１では、柱上変圧器１１が設置された位置であればどこでも給電状況を監視できるので、幹線はもちろん分岐線（符号Ｒの部分の高圧線）で発生した配電異常をも監視できる。
【０１０２】
したがって、この配電異常検出システム１を用いると、分岐線を含む配電線網の高圧線１９上で発生した配電異常を、少ない処理負担で検出することができる。
尚、配電異常には停電や欠相が含まれる。停電は、高圧線１９の３線が断線等して電力供給が完全に絶たれた場合を意味し、欠相は、高圧線１９の１線又は２線が断線等して、電力供給が不完全になった場合を意味する。
【０１０３】
本実施形態では、Ｓ５０でポーリングを行う場合、バンク１０内のすべての電力量計７ではなく、引込柱１４ごとに１つの代表電力量計７と無線通信している。このようにすると、全ての電力量計７にポーリングを実施する場合に比べて通信の処理負担が減るので、少ない処理負担で、ポーリングを実施できる。
【０１０４】
本実施形態では、計量した電力量を示す３０分値を電力量計７から定期的に無線でＨＥサーバ５に送信しており、Ｓ２０では、３０分値の受信に失敗した回数から、当該回数が最も少ない電力量計７を、無線通信の通信状態が最も良い電力量計７として、当該電力量計を選択電力量計としている。また、本実施形態では、電力量計７が、無線の受信強度を示す受信強度情報を無線でＨＥサーバ５経由でＥＴＭサーバ３に送信し、Ｓ２０では、受信強度が最も強い電力量計７を、無線通信の通信状態が最も良い電力量計７として、当該電力量計７を選択電力量計としている。このように、通信状態の最もよい電力量計７を用いれば、通信の失敗による再通信の頻度が減るので、少ない処理負担で各変圧器からの給電状況を監視できる。  
【０１０５】
本実施形態のＳ６０〜Ｓ６８、Ｓ８０〜Ｓ８８の処理では、柱上変圧器１１が取り付けられた引込柱１４ａを介して電力の供給を受けている電力量計７での配電異常についての情報を、それ以外の情報よりも配電異常が生じている確度が高い情報としている。また、本実施形態のＳ６０〜Ｓ６８、Ｓ８０〜Ｓ８８の処理では、配電異常が２台以上の電力量計７で発生している場合、１台で発生している場合よりも配電異常が生じている確度が高い情報としている。このようにすると、配電異常に関する情報について配電異常が生じている確度の高さに応じた情報を監視装置９０に送ることができるので、例えば、大規模災害等の場合に、これらの情報を用いて復旧順などを決めることができる。
【０１０６】
本実施形態のＳ３４の処理では、各電力量計７が、各需要家に引き込まれる電力の電圧低下イベントがあった場合、電圧低下イベント情報をＨＥサーバ５経由でＥＴＭサーバ３に無線で送信している。ＥＴＭサーバ３は、いずれかの電力量計７から電圧低下イベント情報を受信した場合、電圧低下イベント情報を送信した電力量計７を含むバンク１０に属する電力量計７に、電圧低下イベントの発生の有無を確認するための無線通信を行っている（Ｓ７４，Ｓ８０）。そして、ＥＴＭサーバ３は、バンク１０に電力を供給する柱上変圧器１１が位置する高圧線１９で欠相が生じていることを示す情報であって、バンク１０内の電圧低下イベント情報を受信した電力量計７の数や、無線通信ができない電力量計７の数に応じてランク付けされた情報を監視装置９０に通知している（Ｓ８６〜Ｓ８８）。
【０１０７】
停電の場合は、各電力量計７が動作しないが、欠相等の場合は、電圧は低下しても、各電力量計７には電力供給がなされることがある。この場合、各電力量計７からの通信が途絶えたか否かだけで、異常を感知することは困難なことがある。しかし、本実施形態では、欠相その他の電圧低下に関する異常イベントがあった場合、異常イベントを検出している電力量計７の数その他によりランク付けを行って、異常イベントの発生の確度が分かるように通知するなどしている。そのため、本実施形態の配電異常検出システム１は、単に欠相等の異常イベントを監視装置９０に通知するだけでなく、欠相等の異常イベントの発生を監視装置９０にその確度とともに通知することができる。
【０１０８】
本実施形態の欠相バンク判定処理Ｓ７では、いずれかの電力量計７から電圧低下イベント情報を受信した場合であって（Ｓ４２：ＹＥＳ）、さらに、全ての三相用の電力量計７ｂから電圧低下イベント情報を受信した場合（Ｓ７０：ＹＥＳ）、又は、電圧低下イベント情報を受信していない三相用の電力量計７ｂが無応答である場合（Ｓ７６：ＹＥＳ）、単相の電力量計７ａに、電圧低下イベントの発生の有無を確認するための無線通信を行っている（Ｓ８０）。欠相バンクの判定を行う場合に、三相も単相も含めたすべての電力量計７と一度に通信を行うとトラフィックが一度に大きくなり通信渋滞が発生する可能性がある。しかし、本実施形態のように、三相の電力量計７ｂで欠相が確からしいと判断できた後に、単相の電力量計７ａで欠相を確認することで、通信渋滞の発生を抑制できる。しかも、本実施形態では、三相の電力量計７ｂで欠相の発生の確からしさを確認した後、単相の電力量計７ａでも欠相を確認することで、高い信頼性をもって欠相の発生を監視装置９０に伝えることができる。
【０１０９】
本実施形態の構成と、本発明の構成の対応関係について説明する。
本実施形態のＥＴＭサーバ３、ＨＥサーバ５、集約装置６は、本発明の情報収集装置に相当する。本実施形態のＥＴＭサーバ３が実行するＳ２０の処理は、本発明の電力量計選択部に相当する。本実施形態のＥＴＭサーバ３が、電力量計７がＳ３２の処理を実行することによって電力量計７との間で定期的に無線通信を行う処理が、本発明の選択無線通信部に相当する。
【０１１０】
本実施形態のＥＴＭサーバ３が実行するＳ５０の処理は、本発明の第１再通信部に相当する。本実施形態のＥＴＭサーバ３が実行するＳ６４〜Ｓ６８の処理は、本発明の第１異常情報送信部に相当する。
【０１１１】
本実施形態のＥＴＭサーバ３が実行するＳ７４、Ｓ８０の処理は、本発明の第２再通信部に相当する。本実施形態のＥＴＭサーバ３が実行するＳ８６〜Ｓ８８の処理は、本発明の第２異常情報送信部に相当する。
［他の実施形態］
以上、実施形態について説明したが、特許請求の範囲に記載された発明は、上記実施形態に限定されることなく、種々の形態を採り得ることは言うまでもない。
【０１１２】
（１）上記実施形態では、高圧線１９上で発生する配電異常を、自動開閉器で検出する例について説明したが、自動開閉器以外の構成、例えば、手動開閉器や、高圧線上１９に設置された変圧器その他の構成で検出するようにしてもよいことはもちろんである。
【０１１３】
（２）初期ポーリング対象の電力量計７を再ポーリング対象の電力量計７としてもよい。
（３）代表電力量計７と選択電力量計７とが同じ電力量計７であってもよいし、異なる電力量計７であってもよい。
【０１１４】
（４）上記実施形態では、受信強度情報を３０分値とともに電力量計７から送信しているが、これらは別途送信してもよい。
（５）本発明の各構成要素は概念的なものであり、上記実施形態に限定されない。例えば、１つの構成要素が有する機能を複数の構成要素に分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の少なくとも一部を、他の上記実施形態の構成に対して付加、置換等してもよい。
【符号の説明】
【０１１５】
１…配電異常検出システム、３…ＥＴＭサーバ、５…ＨＥサーバ、６…集約装置、
７…電力量計、９…配電監視システム、１０…バンク、１１…柱状変圧器、
１３…低圧線、１４（１４ａ〜１４ｃ）…引込柱、１５（１５ａ〜１５ｂ）…引込線、
１６（１６ａ〜１６ｂ）…需要家、１９…高圧線、３０…制御装置、３２…記憶装置、
３４…第１通信装置、３６…第２通信装置、５０…制御装置、５２…記憶装置、
５４…第１通信装置、５６…第２通信装置、７０…制御装置、７２…記憶装置、
７４…無線通信装置、７６…検針部、９０…監視装置、９２…モニタ、９４…自動開閉器、
９６…遠隔操作装置。
【図１】
2018125984.tif 000003
【図２】
2018125984.tif 000004
【図３】
2018125984.tif 000005
【図４】
2018125984.tif 000006
【図５】
2018125984.tif 000007
【図６】
2018125984.tif 000008
【図７】
2018125984.tif 000009
【図８】
2018125984.tif 000010
【図９】
2018125984.tif 000011